【誤訳訂正書】
【提出日】平成28年6月17日(2016.6.17)
【誤訳訂正１】
【訂正対象書類名】明細書
【訂正対象項目名】全文
【訂正方法】変更
【訂正の内容】
【発明の詳細な説明】
【発明の名称】包装材料、その製作方法およびそれで製作された方法装置
【技術分野】
【０００１】
本発明は包装材料で作られる製品分野に関するもので、特に包装材料の製作方法およびそれで作られる包装容器に関するものである。
【背景技術】
【０００２】
伝統的なお土産の包装ケースは主に紙を材料として、印刷加工によって作られる。必要に応じては、その上にフィルムやヴァーニッシュなどの簡単で基本的な表面処理を使っているが、これが「外表面層」となる。ところが、「内部構造」は値段が高くて、中実の木材板を使い、それから「外表面層」表面全体に糊を塗り、「内部構造」の外表面上に貼り付ける。そのため、大量の糊を使うことになり、製造コストおよび化学材料の使用量を増やすので、環境に優しい製品ではない。全体的に言って、このようなプロセスは繁雑で、コストの高い製造方法である。製作中、化学工業材料を使用するので、ロスと汚染物排出の問題が生じる。これだけでなく、中実の木材板を使用することによって、輸送の重量が増え、「カーボン」排出の問題も生じる。
【０００３】
もう一種の伝統的な包装方式はコート紙を使って、折り畳み式でお土産ケースを作るが、「内部構造」のサポート補強作用がない。このようなケースは小型品物又は重量の軽い製品を入れることに適用する。ケースの面積や幅が大きすぎで、重量の重い製品を入れると、お土産ケース全体に構造的な破損を発生させるか、ひいては破れる可能性もある。
【発明の概要】
【発明が解決しようとする課題】
【０００４】
本発明の目的の一は、包装材料を提供することである。再生不能な材料の代わりに、原材料として再生可能な材料を使用して、ローコストの製造方法により製造される。生産工程における化学工業材料の使用およびロスを減らし、製品設計上、従来の高価で構造が複雑な材料を減らし、他の環境に優しい部材を多く使って、製品の重量を減らし、「カーボン」廃ガス排出減少の「環境保全」の原則に達成する。
【０００５】
本発明の目的の二は、環境に優しい包装材料の製作に使用される、生産工程を効果的に簡略化する包装材料の製作方法を提供することである。
【０００６】
本発明の目的の三は、上記包装材料で製作される包装容器であって、製作方法が簡単で、コストが低く、輸送に便利で、「環境に優しい」原則を満たす包装容器を提供することである。
【課題を解決するための手段】
【０００７】
上記発明の目的を実現するために、本発明は、内部構造材料と外表面層材料からなり、前記内部構造材料は中空材料で、前記外表面層材料は前記内部構造材料の外表面上に貼り付けられる、包装材料を提供する。
【０００８】
好ましくは、前記外表面層材料はコート紙又は印刷性材料であり、前記内部構造材料は、中間層材料や、中間層材料の両側に設置される表面層材料と内層材料からなり、前記中間層材料は内蔵空洞又は内蔵通路を有する中間層材料であり、その表面層材料と内層材料との間は糊によって接着される。
【０００９】
好ましくは、前記内部構造材料と外表面層材料との間は隙間構造が形成されている。
【００１０】
好ましくは、前記包装材料は、複数層が交差して重なった内部構造材料であり、前記内部構造材料は機械力学的に設計された中空材料である。
【００１１】
さらに、本発明は上記包装材料の製作方法を提供して、前記包装材料の製作に使用するが、次のステップが含まれる。
【００１２】
１．中空材料の製作：先ず内蔵空洞又は内蔵通路を有する中間層材料を製作し、表面層材料と内層材料で中間層材料を挟むことによって、中空材料の半製品が得られる。
【００１３】
２．外表面層材料を中空材料の外表面に貼り付けることによって、完成品が得られる。
【００１４】
好ましくは、前記内蔵空洞又は内蔵通路を有する中空材料の製作方法としては、クラフト紙又は支持力のある材料を使って、予め設定された幅のストリップ状材料となるように裁断し、一定の間隔を以って糊を塗り、一定の同等な距離を糊を塗らない位置とし、お互いに接着させて、ストリップ状の中間層材料を作ってから、中間層材料を引っ張って、複数の立体空洞構造を形成させ、当該中間層構造の両外側に糊を塗り、表面層材料と内層材料で中間層材料を挟んで中空材料の半製品を製作する。
【００１５】
好ましくは、前記内蔵通路を有する中空材料の製作方法はクラフト紙又は支持力のある材料を使って、ロール方式により加工し、２つのローラーで、長い溝に圧延する方法によって、平坦な原料を波型の長い溝に加工し、波型の長い溝の上下の起伏位置に糊を塗ってから、表面層材料および内層材料で中間層を挟んで中間層材料の半製品を製作する。
【００１６】
また、本発明は包装容器を提供し、当該装置は上記包装材料で作られるが、内部構造材料を折り畳んで形成される内部構造や、前記内部構造の外表面上に形成される外表面層からなる。
【００１７】
好ましくは、前記包装容器は包装ケースや、書籍ケース、開口蓋ケース、ルーズリーフ用バインダの外装、美装本の表紙、写真枠、保温ケース、アイスクリームケース、断熱保温ガスケット、円錐形アイスクリーム入れ、又は断熱保温カップ入れからなる。
【００１８】
好ましくは、前記包装容器の内部構造と外表面層の折り畳んだ位置には接着構造が設置され、前記内部構造には、中間層や、中間層の両側に設置される表面層および内層が含まれ、包装容器の外表面に加工処理層が形成されており、その内部には負荷を受けとめる力を増やす中空材料が設置されている。また、前記包装容器の内部構造と外表面層との間には隙間が形成されており、前記隙間の中には機械部材や電子機能部材、又は保温部材などが取り付けられる。
【００１９】
好ましくは、前記包装容器の内部構造と外表面層は円柱又は円錐体をお互いに被せて一体にさせる。
【発明の効果】
【００２０】
１．本発明の内部構造材料は、本発明の調製方法によって作られる環境に優しい材料を使って、その環境保全、再生利用可能で、安価で、製造コストが低く、利益が高い特徴を生かして、伝統的な重くて値段が高い中実板材材料を代替することができる。
【００２１】
２．本発明の包装材料は独特な設計となっており、「内部構造」は中空材料を使って、簡単な折り畳み式方法によって作られ、「外表面層」は多元化材料を使って、「内部構造」の外表面にカバーされて、包装容器に作られ、全てのカバー面に糊を塗る必要がなくなり、人的資源を低減し、製作費用を節減し、化学工業材料である糊の使用を減らし、「内部構造」が軽質であり、環境保全に役立つ中空材料の使用によって、輸送積載量を減らすことができ、「カーボン」排出量を効果的に低減することができる。
【００２２】
３．「外表面層」と「内部構造」との間の隙間構造も本発明の特徴であり、両者の間の設置に必要とする付加設備は包装容器の製品をさらに多元化させる。
【００２３】
次は添付図および実施例に合わせて、本発明について、さらに説明するものとする。
【図面の簡単な説明】
【００２４】
【図１】本発明の実施例１の包装容器の断面見取図。
【図２】本発明の実施例２の包装容器の断面見取図。
【図３】本発明の実施例３の包装容器の断面見取図。
【図４】本発明の実施例４の包装容器の断面見取図。
【図５】本発明の実施例５の包装容器の断面見取図。
【図６】本発明の実施例６の包装容器の断面見取図。
【図７】本発明の実施例７の包装容器の断面見取図。
【図８】本発明の実施例８の包装容器の断面見取図。
【発明を実施するための形態】
【００２５】
本発明によって提供される包装材料は、内部構造と外表面層からなり、その中、前記内部構造は再生可能な環境に優しい中空材料を使い、折り畳み式で「内部構造」部分を作ってから、既存の高品質コート紙や、装飾用の非印刷性材料を「外表面層」として、包む、締める、巻くなどの方式で「内部構造」の外表面上に付着させて、包装材料の完成品が得られる。
【００２６】
具体的に言って、前記「内部構造」は、中間層材料や、中間層材料の両側に設置される表面層材料および内層材料から構成される。前記中間層材料は内蔵空洞又は内蔵通路を有する中間層材料であり、その表面層材料と内層材料との間は糊で接着される。
【００２７】
「内部構造」の中間層材料の製作：  本発明のキーポイントは、中間層材料を包装材料のベースとして「内部構造」を製作することであるが、「内部構造」は表面層材料および内層材料にはさまれて中間層材料が構成される。物理学の機械力学の原理を利用して、複数の特別な軽質材料から直立式に構成される複数の立体中空構造又は波型の長い溝を作ることによって、全体的な負荷を受けとめる機能がある、中間層構造を形成させてから、当該中間層構造の外側に糊を塗り、表面層材料と内層材料で中間層材料を挟むことによって、軽質で、材料の使用量が少なく、強度が強く、硬い「内部構造」の半製品を形成させて、後続の加工・使用に提供される。
【００２８】
中間層材料の構造形式およびその製作方法は次のとおりである。
１）内蔵空洞式：環境に優しいクラフト紙又は任意の強力な支持力のある材料を使って、ロール方式により「内部構造」幅の長いストリップ状の材料となるように事前に裁断し、一定の間隔を以って糊を塗り、つまり、自分で間隔を選択し、３ｃｍ、４ｃｍの長さを糊を塗る位置とし、また、一定の同等な距離を糊を塗らない位置とし、お互いに重なるように接着させて、連続のストリップ状の中間層材料を作ってから、特別な設備で中間層材料を引っ張って定型させ、複数の立体空洞構造を形成させて、当該中間層構造の両外側に糊を塗り、表面層と内層で中間層の製作方法で得られた中間材料の半製品を挟んで、後続の加工に使用する。
【００２９】
２）内蔵通路式：環境に優しいクラフト紙又は任意の強力な支持力のある材料を使って、ロール方式により加工し、２つのローラー（上下歯車に類似）で、長い溝に圧延する方法によって、平坦な原料を波型の長い溝に加工し、波型の長い溝の上下の起伏位置に糊を塗ってから、表面層材料および内層材料で中間層の製作方法で作られた中間層材料の半製品を挟んで、後続の加工に使用する。
【００３０】
必要に応じては、複数層の中間層材料および内層材料を重ねて、支持力および保護効果を強化する。また、中空材料は発泡材料でソリッド式の中間層、表面層、内層複合材料を代替することもでき、発泡材料の保温および軽質化の効果を発揮させることもできる。
【００３１】
前記「内部構造」と「外表面層」との間には「隙間構造」があり、必要とする付加設備の取り付けに使用することができ、その形成方式は次のとおりである。
【００３２】
「隙間構造」：製品の形状とサイズによって、「内部構造」と「外表面層」のコンポーネントを設計し、ダイカットプロセスで半製品を生産してから、「外表面層」は「内部構造」を包む、縛る、巻くなどの方法によって、全面的に糊で固定する方法を使わず、「外表面層」と「内部構造」との間に隙間を形成させるが、隙間の構造も本発明の発明構想の一つで、その隙間の特徴を利用して、保温機能を発揮させることもでき、装飾製品の多元化を実現することができる。
【００３３】
ダイカットプロセスとは、包装生産に汎用のプロセスで、製品の必要に応じて、「内部構造」および「外表面層」形状の大きさによって、半製品にダイカットを行い、組立プロセスを通じて完成品に作られる。ダイカットダイスはダイカットの設備であり、ダイカット製品の形状によって、木の板上にダイカット位置を描き、鋸で絵の位置に隙間を加工して、ポジショニング取り付けダイカットラインとシャーリングダイスを使用し、ダイカットダイスに組み立てる。それから、生産の必要に応じて、適切なダイカット機械を使って、そして、適切な大きさと適当な速度で、ダイカットダイスを固定してダイカット生産を行う。生産中、圧力の作用を利用して、製品に必要とする形状にダイカットをする。
インデントプロセスはダイカットダイスを利用して、圧力を加えることによって、材料を切断成形させ、分離に使用する。通常のダイカットおよびインデントプロセスは、いずれもシャーリングカッターとダイカットラインカッターを同一のダイカットダイス内に組み合わせ、ダイカット機械上で、ダイカットライン加工とシャーリングプロセスが同時に行われるが、これをダイカットと略称する。
【００３４】
注意しておきたいことは、本発明の包装材料は環境に優しい効果があり、材料や、設計および応用方法などの面が含まれる。
【００３５】
１．本発明の内部構造材料は、本発明の調製方法によって得られる環境に優しい中空材料を利用して、その環境保全、再生利用可能な長所、および安価、製造コストが低く、利益が高いなどの特徴を生かして、伝統的な重くて高価な中実板材料を代替することができる。
【００３６】
１）本発明の具体的な方法として、「内部構造」に使われる中空材料は、１００％の再生・循環利用可能な方式で作られ、「環境に優しい」概念に適合し、重くて、高価な中実板を代替することによって、材料のコストを低減することができる。
【００３７】
２）本発明の具体的な方法として、中空材料の機械式力学設計および負荷を受けとめる力は、必要に応じては耐スポーリング性をさらに強化することによって、輸送の要求を満たすようにすれば、複数層の中空材料を交差して重ねることによって、強化の効果を達成するが、既存の厚い板材料の構造効果に比べて、もっと軽く、もっと丈夫で、もっと安い。
【００３８】
３）本発明の具体的な方法として、所用の軽質中空材料は既存の中実木板に比べて２０〜３０％ほど軽いが、堅固な機械特性を達成することができ、輸送の積載量を大きく低減させることができ、「カーボン」排出を効果的に低減することができる。
【００３９】
２．本発明の包装材料は独特な構造となっており、「内部構造」は中空材料を使って、簡単な折り畳み式方法で作られるが、「外表面層」は多元化材料を使って、「内部構造」の外表面上にカバーさせて包装容器を製作し、全ての表面上に糊を塗る必要がなくなり、人的資源を低減し、製作費用を節減し、化学工業材料である糊の使用を低減し、「内部構造」の軽質な環境保全に役立つ中空材料と共に、輸送の積載量を低減させることができ、「カーボン」排出を効果的に低減することができる。
【００４０】
１）本発明の具体的な方法として、中空材料を簡単に折り畳んで「内部構造」とし、それから、「内部構造」の外側に「外表面層」を被せるが、異なるのは、既存の糊塗り材料法は薄い紙上に全体カバー式で「外表面層」と「内部構造」の全体カバー面上に糊を塗らなければならないが、本発明の方法は外表面層と内部構造の折り畳み位置に少量の糊を塗って、補強機能を実現すれば良い。例えば、角の位置、縁の折り畳み、内部紙層および特別な付加設計を以って、製品の装飾に使っており、設計の難しさによって、必要とする糊の使用量を算出する。そのため、製作費用を節減し、化学品である糊の使用量を減らすことができ、汚染物排出を効果的に低減することができる。
【００４１】
２）本発明の具体的な方法として、「外表面層」の厚いコート紙は強化された中空材料に全体的な硬度を提供することができる。所用の厚いコート紙は既存の表面接着紙の数倍の厚さであり、ナイロンネットや、補強用紙、補強用布などの補強補助材料を使用する必要がなく、構造は依然として負荷を受けとめる力の要求を満たすことができる。そして、「外表面層」に使われる高品質のコート紙は一種の高品質の理想的な印刷材料で、その印刷効果は既存の包装にケースに使われる薄いコート紙又は装飾済みグレーのコート紙に比べて優れている。
【００４２】
３）本発明の具体的な方法として、「外表面層」に使われるコート紙の厚さは加工条件を具備しており、そのため、コート紙の全体の表面上に糊を塗る必要がないので、特殊な表面処理に使用することができる。例えば、縞模様の押入れ、シャーリング、ブランチング、ペインティング、膜の表装、外付け部材の付着および品物入れ袋などの設計である。
【００４３】
４）本発明の具体的な方法として、「外表面層」材料を中空材料の縁に裏側に折り畳み、しかも、白膠、動物質膠、熱溶融膠などはいずれも全体構造を強化することができ、建物建造上、コンクリートが鉄筋「内部構造」に付着される建物補強機能と同じように、保護および強化の作用があり、既存のカラーケースの糊貼り付け作業に比べて、生産プロセスが簡単になり、人手を節減することができる。
【００４４】
５）本発明の具体的な方法は、半製品を平たく敷く方式で包装材料を輸送・保存することができ、倉庫の容積を減らし、輸送空間を減らすことによって、コストを低減することができ、製品を必要とする場合、使用者は自分で折り畳んで製品を完成することができる。
【００４５】
３．「外表面層」と「内部構造」との間の隙間構造も本発明の特徴であり、両者の間の隙間を利用して、必要とする付加設備を設計して、装飾製品の多元化を実現することができる。
【００４６】
１）本発明の具体的な方法として、「外表面層」と「内部構造」との間の隙間には部材を設置することができ、これらの付加機能部材は包装材料と共に包装ケース構造の一部分となる。前記機能部材は可動機械式部材の立体像、電子製品、内蔵式物入れ袋、スポンジおよび機械式バルブなどの装置からなる。そして、「外表面層」と「内部構造」との間に形成されるスペース、つまり、空気層は、保温機能を提供することができる。また、中空材料の基本構造も中空構造であるので、保温効果を強化することができる。
【００４７】
２）本発明の具体的な方法として、包装容器は余分な中空間隔を設けて、熱量を保存できるお湯袋を設置することができ、包装容器とお湯袋を電子レンジで一緒に加熱し、水袋中のお湯は保温食品の輸送に使用することができる。例えば、包装容器を旅行の際に弁当を入れる場合、中空間隔にお湯袋を内蔵することができる。
【００４８】
３）本発明の具体的な方法として、包装容器には余分の中空間隔を設けて、内蔵氷袋とすることができ、アイスクリームや、アイスクリームケーキ、アイスクリーム月餅など冷凍食物の保存を必要とする旅行包装用途に使用することができる。
【００４９】
４）本発明の具体的な方法として、包装容器の「内部構造」と「外表面層」は円錐形にして、お互いに組み合わせて、円錐形アイスクリーム入れとして、冷凍状態を維持する用途に使え、携帯距離と食用時間を延ばすことができる。
【００５０】
５）本発明の具体的な方法として、包装容器の「内部構造」と「外表面層」は円筒形にして、お互いに組み合わせて、熱い又は冷たい飲み物カップの携帯用途に使え、「外表面層」は多様な高品質印刷をして、広告の用途に使用することができる。
【００５１】
上記包装材料で作られた包装品は、書籍のケース、ボトムカバーケース、トップカバーケース、開口カバーケース、カタログの外装、ルーズリーフ用バインダの外装、美装本の表紙、写真枠、ゲームのトレイ、保温ケース、アイスクリームケース、断熱保温ガスケット、円錐形アイスクリーム入れ、断熱保温カップ入れなどに適用する。必要に応じて内部構造中空材料を折り畳んで、外表面層材料で内部構造中空材料をカバーさえすれば、製品の製作が完了され、軽くて、化学品の使用量を減らすことができ、環境に優しい効果を達成できる。
【００５２】
次は実施例１−８に合わせて、本発明の包装材料で作られた包装品を如何に使用するかについて説明するものとする。
【００５３】
実施例１−８および添付図１−８は、本発明によって提供される包装材料で作られた包装容器の説明に使われる。包装容器の設計基礎としては、製品の必要に応じて、「外表面層」材料および必要とする後続加工スペシャル表面処理機能と付加的な部材を選択し、包む、縛る、巻くなどの方式で内層構造を固定することによって製品が作られる。
図１−８の包装容器から見れば、中空材料１を折り畳み方式で「内部構造」に作り、「外表面層」材料２を包む、縛る、巻くなどの方式で中空材料で作られた「内部構造」に固定することによって完成品が得られる。図１に示されているとおり、「外表面層」材料２上に縞模様入れ、シャーリング、ブランチング、ペインティング、膜の表装、外付け部材および物入れ袋などを設けて、「外表面層」の加工処理層３を形成させることができる。中空材料１と「外表面層」材料２との固定を必要とする折り畳み位置において、少量の適切な糊で固定して補強機能とし、例えば、角の位置や、縁の折り畳み、「内部構造」の固定およびスペシャル部材を設けることによって、製品装飾の用途に使用し、設計の難しさによって糊の所要量を決め、接着構造４を形成させる。
【００５４】
ここで、図１に示されている通り、本発明の実施例１の包装パーツは、中空材料を包装容器の基礎として「内部構造」を形成するが、「内部構造」１は、表面層２１と内層２３で、両側に糊を塗った中間層２２を挟んでからなる、中空包装容器の原材料であり、後続の多元化加工に提供される。２４に示されている隙間構造には各種部材を取り付けるか、或いは保温機能を持たせることができる。
【００５５】
その中、図２に示されている通り、本発明の実施例２の包装容器は包装ケースであり、開口が設けられており、その外表面に膜を表装して、加工処理層３が形成されており、その中には負荷をとめる力を増やす中空材料５が設置されており、必要に応じて、耐スポーリング性を強化することによって、輸送の要求を満たせるが、複数層の中空材料を交差して重ねた構造を使用することができる。
【００５６】
その加工方法：１）「内部構造」：製品の設計サイズによって、ダイカットダイスを製作し、ダイカットによって半製品を生産する。
２）「外表面層」：製品の設計サイズによって、ダイカットダイスを製作し、ダイカットに備える。所用の材料は伝統的な高品質コート紙の加工印刷および表面処理又は純装飾非印刷材料に分けられ、ダイカットによって半製品を生産する。
３）負荷を受けとめる力を増やす中空材料：製品の必要に応じて、ダイカットダイスを製作し、必要とする大きさにダイカットをする。
４）加工完了：「外表面層」および「内部構造」は折り畳むことができ、「外表面層」で包む、縛る、巻くなどの方式で「内部構造」を固定する。負荷を受けとめる力を増やす中空材料は適当量の糊で最後に固定することによって、製品の製作が完了する。
【００５７】
図３に示されている通り、本発明の実施例３の包装容器は包装ケースであり、その中には、ボトムケースとトップカバーが含まれ、ボトムケースの中には負荷を受けとめる力を増やす中空材料５があり、また、余分の中空スペースに置かれる付加部材の保温カプセル、氷袋１２がある。トップカバーの「外表面層」と「内部構造」との間には隙間が形成されており、前記隙間の中には付加部材のノブ８があり、トップカバーの「外表面層」と「内部構造」との隙間中には機械部材を入れて、包装ケースに特別な機能を持たせ、トップカバーを便利に取り外せるようにする。   
【００５８】
その加工方法：  ボトムケース：１）「内部構造」：製品の設計サイズによって、ダイカットダイスを製作し、ダイカットによって半製品を生産する。
２）「外表面層」：製品の設計サイズによって、ダイカットダイスを製作し、ダイカットに備える。所用の材料は伝統的な高品質コート紙の加工印刷および表面処理又は純装飾非印刷材料に分けられ、ダイカットによって半製品を生産する。
３）負荷を受けとめる力を増やす中空材料：製品の必要に応じて、ダイカットダイスを製作し、必要とする大きさにダイカットをする。
４）加工完了：「外表面層」および「内部構造」は折り畳むことができ、「外表面層」で包む、縛る、巻くなどの方式で「内部構造」を固定する。負荷を受けとめる力を増やす中空材料は適当量の糊で最後に固定することによって、製品の製作が完了する。
【００５９】
トップカバー：１）「内部構造」：製品の設計サイズによって、ダイカットダイスを製作し、ダイカットによって半製品を生産する。
２）「外表面層」：製品の設計サイズによって、ダイカットダイスを製作し、ダイカットに備える。所用の材料は伝統的な高品質コート紙の加工印刷および表面処理又は純装飾非印刷材料に分けられ、ダイカットによって半製品を生産する。
３）加工完了：「外表面層」および「内部構造」は折り畳むことができ、「外表面層」の開口位置に付加部材（機械部材）を入れて、包む、縛る、巻くなどの方式で「内部構造」を固定することによって、製品の製作が完了する。
【００６０】
図４に示されているとおり、本発明の実施例４の包装容器は包装ケースであり、一体成型のボトムケースとトップカバーが含まれ、前記トップカバーは前記ボトムケースの上端に一体に湾曲に成型され、ボトムケースの側面には付加部材９のボタン装置が設けられ、ボトムケースを固定する装置となる。ケースの中には負荷を受けとめる力を増やす中空材料５があり、また、余分の中空スペースに設置される付加部材の保温カプセル、氷袋１２がある。
【００６１】
加工方法：  トップカバー：１）「内部構造」：製品の設計サイズによって、ダイカットダイスを製作し、ダイカットによって半製品を生産してから、「外部構造」と結合させることによって、製品製作が完了する。
【００６２】
ボトムケース：１）「内部構造」：製品の設計サイズによって、ダイカットダイスを製作し、ダイカットによって半製品を生産する。
２）「外表面層」：製品の設計サイズによって、開口位置などのダイカットダイスを製作し、ダイカットに備える。所用の材料は伝統的な高品質コート紙の加工印刷および表面処理又は純装飾非印刷材料に分けられ、ダイカットによって半製品を生産する。
３）負荷を受けとめる力を増やす中空材料：製品の必要に応じて、ダイカットダイスを製作し、必要とする大きさにダイカットをする。
４）加工完了：「外表面層」および「内部構造」は折り畳むことができ、「外表面層」の開口位置に付加部材（ボタン装置）を入れて、包む、縛る、巻くなどの方式で「内部構造」を固定する。適当量の糊を所要の位置に入れて最後に固定することによって製品の製作が完了する。ケースの中には負荷を受けとめる力を増やす中空材料があり、また、余分の中空スペースの中に置かれる付加部材が設置される。
【００６３】
図５に示されているとおり、本発明の実施例５の包装容器はアルバムの外装であり、その「外表面層」材料には、包む形式で中空材料の「内部構造」を固定し、縁の所に少量の適当な糊を塗って形成される糊構造４は「外表面層」と「内部構造」を接着固定することに使われ、その中には「はさみスペース」が形成され、その片側には開口があって、本を入れるか、或いは写真を入れるなどの用途に使われる。
【００６４】
外装：１）「内部構造」：製品の設計サイズによって、ダイカットダイスを製作し、ダイカットによって半製品を生産する。
２）「外表面層」：製品の設計サイズによって、ダイカットダイスを製作し、ダイカットに備える。所用の材料は伝統的な高品質コート紙の加工印刷および表面処理又は純装飾非印刷材料に分けられ、ダイカットによって半製品を生産する。
３）加工完了：「外表面層」および「内部構造」は折り畳むことができ、「外表面層」で包む、縛る、巻くなどの方式で「内部構造」を固定する。適当量の糊を所要の位置に入れて最後に固定することによって、製品の製作が完了する。
【００６５】
図６に示されている通り、本発明の実施例６の包装容器は美装本の外装であり、その「外表面層」材料は、包む形式で「内部構造」を固定し、縁の所に少量の適切な糊を塗って糊構造４を形成して、「外表面層」と「内部構造」を接着固定することに使われ、その中には「はさみスペース」が形成され、その片側には開口があって、本６を当該「はさみスペース」に入れて、美装本を構成する。
【００６６】
美装本外装：１）「内部構造」：製品の設計サイズによって、ダイカットダイスを製作し、ダイカットによって半製品を生産する。
２）「外表面層」：製品の設計サイズによって、ダイカットダイスを製作し、ダイカットに備える。所用の材料は伝統的な高品質コート紙の加工印刷および表面処理又は純装飾非印刷材料に分けられ、ダイカットによって半製品を生産する。
３）加工完了：「外表面層」および「内部構造」は折り畳むことができ、「外表面層」で包む、縛る、巻くなどの方式で「内部構造」を固定する。適当量の糊を所要の位置に入れて最後に固定することによって、外装の製作が完了する。
【００６７】
図７に示されている通り、本発明の実施例７の包装容器はルーズリーフ用バインダであり、その「外表面層」材料は、包む形式で中空材料の「内部構造」を固定し、接続の所は機械部材１０およびリベット１１で接続する。
【００６８】
ルーズリーフ用バインダ：１）「内部構造」：製品の設計サイズによって、ダイカットダイスを製作し、ダイカットによって半製品を生産する。
２）「外表面層」：製品の設計サイズによって、ダイカットダイスを製作し、ダイカットに備える。所用の材料は伝統的な高品質コート紙の加工印刷および表面処理又は純装飾非印刷材料に分けられ、ダイカットによって半製品を生産する。
３）加工完了：「外表面層」および「内部構造」は折り畳むことができ、「外表面層」で包む、縛る、巻くなどの方式で「内部構造」を固定する。適切な位置において、付加部材（リベット）と安定化部材（機械部材）を利用することによって、製品の製作が完了する。
【００６９】
図８に示されている通り、本発明の実施例８の包装容器は写真枠であり、その中には、ボトム写真枠とトップカバーが含まれるが、前記ボトムケース上には開口があり、前記ボトムケースの中に写真が入り、開口から見えるようになる。
【００７０】
加工方法：  ボトム写真枠：１）「内部構造」：製品の設計サイズによって、ダイカットダイスを製作し、ダイカットによって半製品を生産する。
２）「外表面層」：製品の設計サイズによって、ダイカットダイスを製作し、ダイカットに備える。所用の材料は伝統的な高品質コート紙の加工印刷および表面処理又は純装飾非印刷材料に分けられ、ダイカットによって半製品を生産する。
３）加工完了：「外表面層」および「内部構造」は折り畳むことができ、「外表面層」で包む、縛る、巻くなどの方式で「内部構造」を固定する。適当量の糊を所要の位置に入れて最後に固定することによって、製品の製作が完了する。
【００７１】
トップカバー：１）「内部構造」：製品の設計サイズによって、開口位置などのダイカットダイスを製作し、ダイカットによって半製品を生産する。
２）「外表面層」：製品の設計サイズによって、開口位置などのダイカットダイスを製作し、ダイカットダイスを製作し、ダイカットに備える。所用の材料は伝統的な高品質コート紙の加工印刷および表面処理又は純装飾非印刷材料に分けられ、ダイカットによって半製品を生産する。
３）加工完了：「外表面層」および「内部構造」は折り畳むことができ、「外表面層」には開口の位置があり、中に入る写真など製品が見えるようにし、それから、包む、縛る、巻くなどの方式で「内部構造」を固定する。適当量の糊を所要の位置に入れて最後に固定することによって、製品の製作が完了する。
【００７２】
上記実施例２−８から見れば、本発明によって提供される包装材料は、数多くの包装容器を製作することができる。
【００７３】
以上を纏めると、本発明の包装材料およびそれによって製作された包装容器は次の有益な効果を有する。
【００７４】
１．本発明の内部構造材料は、本発明の調製方法によって作られる環境に優しい材料を使って、その環境保全、再生利用可能で、安価で、製造コストが低く、利益が高い特徴を生かして、伝統的な重くて値段が高いソリッド板材材料を代替することができる。
【００７５】
２．本発明の包装材料は独特な設計となっており、「内部構造」は中空材料を使って、簡単な折り畳み式方法によって作られ、「外表面層」は多様な材料を使って、「内部構造」の外表面にカバーされて、包装容器に作られ、全てのカバー面に糊を塗る必要がなくなり、人的資源を低減し、製作費用を節減し、化学工業材料である糊の使用を減らし、「内部構造」軽質・環境保全中空材料の使用によって、輸送積載量を減らすことができ、「カーボン」排出量を効果的に低減することができる。
【００７６】
３．「外表面層」と「内部構造」との間の隙間構造も本発明の特徴であり、両者の間の設置に必要とする付加設備は包装容器の製品をさらに多様にする。
【符号の説明】
【００７７】
2013519539.tif 000001